(57)【要約】【課題】遊技機に備えられる基板収納ボックスを痕跡を残さないで開封することを困難に封止して遊技機に対する不正行為を未然に防止する構造において、その封止・開封の作業性が向上した基板収納ボックスを提供すること。【解決手段】所定方向にスライドする開閉可能なケース体９１とカバー体９２には、閉じた状態で重なり合うケース側封止部９３とカバー側封止部９４がそれぞれ複数設けられる共に、カバー側封止部９４は外部から切断可能な連結部９６ａを介して形成されており、この連結部９６ａを切断することでその封止部９４を分離させることができる。【選択図】図４
2006142052.tif 000002
【特許請求の範囲】
【請求項１】
所定方向にスライドするケース体とカバー体によって開閉可能な基板収納ボックス内に遊技に関する制御を行う制御基板が収容される遊技機において、前記基板収納ボックスの前記ケース体とカバー体には、互いに閉じた状態で重なり合う封止部がそれぞれ複数設けられると共に、これらケース側封止部とカバー側封止部のいずれか一方の封止部は外部から切断可能な連結部を介して形成されており、閉じた状態で重なり合った前記ケース側封止部とカバー側封止部の組のうちの少なくとも１組を封止部材によって固着することでスライドが禁止されて前記制御基板がボックス内部に封止され、開封の際にはその固着された組のケース側封止部とカバー側封止部のいずれか一方に形成された前記連結部を切断して該封止部を分離することでスライドの禁止が解除されて開封されることを特徴とする遊技機。
【請求項２】
前記ケース側封止部とカバー側封止部のうち切断可能な連結部を介して設けられた一方の封止部には前記封止部材の一端側が挿入される挿入孔が形成され、該封止部材の他端側は挿入方向への移動が規制される頭部を有すると共に、他方の封止部には該封止部材の一端側に嵌合してその抜脱方向への移動を規制する嵌合手段が設けられていることを特徴とする請求項１に記載の遊技機。
【請求項３】
前記ケース側封止部とカバー側封止部が基板収納ボックスの一端部に集約して設けられていることを特徴とする請求項１又は２に記載の遊技機。
【請求項４】
前記基板収納ボックスの前記ケース体とカバー体には、互いに閉じた状態で係合する係合手段が設けられていることを特徴とする請求項１〜３のいずれかに記載の遊技機。
【請求項５】
前記基板収納ボックスの前記ケース体とカバー体には、互いに閉じた状態からそれ以上閉じる方向へのスライドを規制する規制手段が設けられていることを特徴とする請求項１〜４のいずれかに記載の遊技機。
【発明の詳細な説明】
【技術分野】
【０００１】
本発明は遊技機に関し、さらに詳しくは、パチンコ遊技機やスロットルマシン等の遊技機の遊技盤裏面等に遊技に関する制御を行う制御基板を収容した状態で取り付けられる基板収納ボックスを備えたものにおいて、その基板収納ボックスの不正開封を防止する不正行為防止対策が施されたその不正防止機構に関するものである。
【背景技術】
【０００２】
近年、パチンコ遊技機やスロットルマシン等の遊技機は、遊技盤に設けられる各種入賞装置や図柄変動表示装置等を制御して、遊技の興趣を盛り上げるようにしたものが主流となっており、これらの入賞装置や図柄変動装置等の制御は、ＩＣやＬＳＩ等の多数の電子部品を配設したロジック制御の回路基板、あるいはマイクロコンピュータを備えた制御基板等により行われる。このような遊技機の遊技内容を制御する制御基板は、一般的に遊技盤の裏面側に取り付けられた基板収納ボックス内に収納される。
【０００３】
従来用いられてきた基板収納ボックスにおける制御基板をその内部に封止する構造は、カバー体とケース体とをビス止め組付けした後、それらの合わせ目に封印シールを貼ったり、基板収納ボックスをアクリルなどの透明な合成樹脂材料により形成して、内部に収容されている制御基板の状態が外部から視認できるようにして不正行為が確認できるようにしていたが、本物そっくりの偽封印シールや特殊な剥離剤などを使用する不正行為者に対しては効果がなかった。
【０００４】
このような行為を防止するために、基板収納ボックスを開封不可能あるいは開封が極めて困難な構造にして、ボックスそのものを破壊するしか開封する方法がないように封止することも考えられるが、公的機関によるＲＯＭ検査や修理等のメンテナンス性を考えると現実的でない。
【０００５】
そこで、一旦封止が開封されると、開封された痕跡が残るように、カバー体とケース体にそれぞれ一体的に連結して設けられた封止部同士を別部材である封止部材（特殊な形状のピンやネジなど）を用いて固着させ、その封止・開封が複数回行うことができる構造のものが提案されている。
【０００６】
このカバー体及びケース体とそれぞれの封止部との連結部分のうち少なくとも一方がニッパ等の工具で容易に切断可能に形成されており、その連結部分を切断して、封止部同士が固着された部分を分離させることで、開封することが可能な構造になっており、開封が容易な上に開封すれば確実にその切断による痕跡を残すことができるので、不正行為を防止できて取り扱いも良いということから広く採用されている。
【０００７】
また、前述の公的機関によるＲＯＭ検査や修理等のメンテナンス性を考慮して複数回の封止・開封を行うことができるように、封止の箇所が複数設けられている。この場合、封止部同士の固着に使用された封止部材は再度の封止に用いることができないので、カバー体の封止部、ケース体の封止部及び封止部材を一組とする封止箇所を、複数備えることでこれを実現している。例えば封止箇所が８つあれば、そのうち２つを封止のために使用するものとすれば、計４回の封止・開封を行うことができる。
【０００８】
このような基板収納ボックスの例を図を用いて詳細に説明する。図１７は基板収納ボックス２００の外観斜視図、図１８はその分解斜視図、図１９は封止部の上面図、図２０は基板収納ボックス２００の側面に設けられた封止部２０１のＡ−Ａ断面である横断面図、図２１はその縦断面図を示している。
【０００９】
図示されるように、この基板収納ボックス２００は、主制御基板２０３が収容されるケース体２０１と、そのケース体２０１に被着されるカバー体２０２と、これらを用いて内部に制御基板２０３を封止するための封止部材として挿入ピン２１１とから構成される。
【００１０】
ケース体２０１はアクリル等の透明な合成樹脂材料により略箱形状に形成されており、その底面に載置された主制御基板２０３の４隅角部をネジ２０４止めにより収容固定している。この主制御基板２０３を収容するケース体２０１の左右両外側面（図面では片側のみ図示）には、ケース側封止部２０５として上面が開口された長手ボックス形状の固定具収容台２１２がケース体２０１と一体的に設けられ、その内部には図２０及び図２１で示すような金属製板材により折り曲げ形成されたピン固定具２１３がタッピンネジ２０７によって固定具収容台２１２の内部にネジ止め固定されている。
【００１１】
このピン固定具２１３には、挿入ピン２１１の先端部２１１ａが挿入された際には、抜脱不能に係合する係合孔２１３ａが形成されている。その係合孔２１３ａの内周縁には、挿入ピン２１１の先端部２１１ａに周設された凹状の係合溝２１１ｂに係合する係合片２１３ｂがやや斜め下向きに突設して形成されている。
【００１２】
また、このケース体２０１に被着されるカバー体２０２の左右両外側面（図面では片側のみ図示）には、カバー側封止部２０６として複数個（この例では４個）のピン挿入台２１５が切断可能に形成された連結部２１８を介して一体的に整列して設けられると共に、それらピン挿入台２１５の両サイドには前述のピン固定具２１３をネジ止め固定したタッピンネジ２０７を上方から覆うネジ隠し片２１７，２１７が設けられている。
【００１３】
整列して設けられたピン挿入台２１５，２１５，・・には、図２１に示すように挿入ピン２１１が予め装着されている。この挿入ピン２１１はアルミ等の金属製棒材により切削形成又は合成樹脂材料により一体成形されたもので、フランジ状の頭部２１１ｅと円柱状の本体部２１１ｄを備えている。円柱状の本体部２１１ｄの途中位置には、その本体部２１１ｄ外径よりもやや太径にローレット状のリング部２１１ｃが形成されており、挿入ピン２１１を遊挿させた状態でピン挿入台２１５に挿入させておくことができる。これにより、例えばパチンコホールの管理者等が挿入ピンを別途保管しておく必要はなく、従って紛失あるいは盗難のおそれがないので取り扱いが便利である。
【００１４】
また、これらピン挿入台２１５，２１５，・・とカバー体２０２の側壁とを連結している連結部２１８，２１８，・・はニッパ等の工具によって簡便に切断可能な形状に形成されており、この連結部２１８，２１８，・・のうち封止された箇所の連結部２１８を切断することで、封止箇所のピン挿入台２１５はカバー体２０２から分離させることができる。
【００１５】
このような構造の基板収納ボックス２００は、その内部への主制御基板２０３の封止・開封を複数回行うことができるようになっている。図１７に示されるようにカバー体２０２の上面左右には、対角になるように番号表示（この場合１〜４）がされており、例えば、初めて封止するときは左右の番号「１」が附された２箇所の挿入ピン２１１を叩き込んで封止する。主制御基板２０３のＲＯＭ等を検査するために開けるには、封止に用いられた左右の番号「１」が附された２箇所の連結部２１８を切断することで開封することができる。
【００１６】
そして再度封止するには、左右の番号「２」が附された２箇所の挿入ピン２１１を叩き込むことで再び主制御基板２０３をボックス内に閉じ込めることができる。このように収納されている主制御基板２０３のＲＯＭ検査や修理などの正当の理由による開封・封止が複数回行うことができるので、メンテナンス性も良いというものである。
【００１７】
【特許文献１】特開２０００−３３４１４１号公報
【発明の開示】
【発明が解決しようとする課題】
【００１８】
しかしながら、このような構造の基板収納ボックス２００では、封止するとき、左右２箇所の挿入ピン２１１を操作し、開封するときはその２箇所の連結部２１８を切断する必要があるため封止・開封の際の作業性が良いとはいえないものであった。
【００１９】
上述のような制御基板をカバー体とケース体とで上下から挟むように収容するタイプのものでは、その構造上、封止の際の封止箇所が少なくとも２つ以上必要になってしまう。また、それに対応して開封・封止を複数回行えるようにするための封止箇所も増加してしまう。この従来例の場合、ケース側封止部とカバー側封止部の組が、４回の封止・開封を行えるように８組も用意する必要がある。
【００２０】
このように開封・封止を行うたびに、複数箇所の封止部の挿入ピンを操作し連結部を切断するという作業は煩雑であり、さらにはボックスの製造に関しても、封止できる回数の倍以上の多数の封止部をカバー体及びケース体にそれぞれ形成する必要があり、封止部材もそれに伴って多数製作する必要があるため製造の低コスト化が困難であるという問題があった。
【００２１】
本発明の解決しようとする課題は、遊技機に備えられる基板収納ボックスを痕跡を残さないで開封することを困難に封止して遊技機に対する不正行為を未然に防止する構造において、その封止・開封の作業性が良く、簡易な構造の基板収納ボックスを提供することである。
【課題を解決するための手段】
【００２２】
この課題を解決するために本発明に係る遊技機は請求項１に記載のように、所定方向にスライドするケース体とカバー体によって開閉可能な基板収納ボックス内に遊技に関する制御を行う制御基板が収容される遊技機において、前記基板収納ボックスの前記ケース体とカバー体には、互いに閉じた状態で重なり合う封止部がそれぞれ複数設けられると共に、これらケース側封止部とカバー側封止部のいずれか一方の封止部は外部から切断可能な連結部を介して形成されており、閉じた状態で重なり合った前記ケース側封止部とカバー側封止部の組のうちの少なくとも１組を封止部材によって固着することでスライドが禁止されて前記制御基板がボックス内部に封止され、開封の際にはその固着された組のケース側封止部とカバー側封止部のいずれか一方に形成された前記連結部を切断して該封止部を分離することでスライドの禁止が解除されて開封されることを要旨とするものである。
【００２３】
上記構成を有する基板収納ボックスによれば、所定方向にスライドする開閉可能なケース体とカバー体には、閉じた状態で重なり合うケース側封止部とカバー側封止部がそれぞれ複数設けられる共に、いずれか一方の封止部は外部から切断可能な連結部を介して形成されている。この連結部は切断することでその封止部を分離させることに用いられる。
【００２４】
制御基板をボックス内に封止するには、閉じる方向にスライドさせて、閉じた状態で重なり合ったケース側封止部とカバー側封止部の複数組のうち少なくとも一の組を封止部材で固着すれば、ケース体とカバー体のスライドが禁止されるのでボックスを開けることができなくなり、制御基板はボックス内に封止されたことになる。
【００２５】
そして、封止された基板収納ボックスを開封には、固着されたケース側封止部とカバー側封止部のいずれか一方に形成された連結部を例えばニッパ等の工具を用いて切断することで分離する。この切断された封止部の分離によりケース体とカバー体のスライドの禁止が解除されるのでボックスを開けることができ、制御基板をボックス内から開封することができる。
【００２６】
このように基板収納ボックスを所定方向にスライドする開閉可能なケース体とカバー体により構成することで、開封・封止のための封止部への操作が一箇所で済むことが可能になり、作業性が良い。また、それに伴い、例えば上述の従来技術のように、封止・開封を計４回行えるように封止箇所を８つも設ける必要がなく、４つで済むので、ボックスの製作に掛かるコストも低く抑えることが可能になる。
【００２７】
この場合、請求項２に記載のように、前記ケース側封止部とカバー側封止部のうちの切断可能な連結部を介して設けられた一方の封止部には前記封止部材の一端側が挿入される挿入孔が形成され、該封止部材の他端側は挿入方向への移動が規制される頭部を有すると共に、他方の封止部には該封止部材の一端側に嵌合してその抜脱方向への移動を規制する嵌合手段が設けられている構成にすれば、簡易な形状及び構造で上述の効果を有する不正防止構造を実現できるので、その製作も容易でコスト安である。
【００２８】
さらに、請求項３に記載のように、前記ケース側封止部とカバー側封止部が基板収納ボックスの一端部に集約して設けられている構成にすれば、その集約箇所を確認するだけで開封された回数を容易に把握することができ、管理し易い。
【００２９】
そして、請求項４に記載のように、前記基板収納ボックスの前記ケース体とカバー体には、互いに閉じた状態で係合する係合手段が設けられている構成にすれば、ケース体とカバー体を閉じた状態から容易に開いてしまうことが防止されるので、作業性の向上が図れる。また、ケース側封止部とカバー側封止部を重ね合わせる際の位置決めも容易になる。
【００３０】
そして、請求項５に記載のように、前記基板収納ボックスの前記ケース体とカバー体には、互いに閉じた状態からそれ以上閉じる方向へのスライドを規制する規制手段が設けられている構成にすれば、ケース側封止部とカバー側封止部を重ね合わせる際の位置決めが容易になり、作業性も向上する。
【発明の効果】
【００３１】
上記のように、本発明に係る遊技機によれば、遊技機に備えられる基板収納ボックスを痕跡を残さないで開封することを困難に封止して遊技機に対する不正行為を未然に防止する構造において、所定方向にスライドする開閉可能なケース体とカバー体には、閉じた状態で重なり合うケース側封止部とカバー側封止部がそれぞれ複数設けられる共に、いずれか一方の封止部は外部から切断可能な連結部を介して形成されている。このように基板収納ボックスを所定方向にスライドする開閉可能なケース体とカバー体により構成することで、開封・封止のための封止部への操作が少なくとも一箇所で済むことになり、作業性が良く、ボックスの製作に掛かるコストも低く抑えることが可能になる。
【発明を実施するための最良の形態】
【００３２】
以下、本発明の好適な一実施形態を図面を参照して詳細に説明する。 図１は、遊技機の一例としてのパチンコ遊技機の概略構成の正面図を示したものである。図示されるようにパチンコ遊技機１０は、遊技機本体の側部を構成する外枠１１と前面部のベースとなる内枠１２とを備える。この内枠１２の開口部周縁には額縁状の金枠１３が嵌められており、その内側には遊技盤１４の前面を覆うガラス扉１５が設けられる。
【００３３】
ガラス扉１５の下方位置には、遊技球を貯留するための上受け皿１６とその上受け皿１６から溢れた遊技球を貯留するための下受け皿１７が縦列して設けられる。この上受け皿１６には球抜きボタン１８が設けられ、これを操作すると上受け皿１６内の遊技球が下受け皿１７に向けて抜き落とされる。又、下受け皿１７の図中右側位置には、遊技球を発射するための発射レバー２０が設けられ、その回動操作量に応じて打球の強さが調整されると共に図示しない発射モータの電源が投入される。更に発射レバー２０には遊技球を単発発射させるための単発スイッチ２１も備えられており、遊技状況に応じて使い分けることが可能に構成されている。
【００３４】
また、このパチンコ遊技機１０の左側部にはプリペイドカードによる球の貸し出しを行うプリペイドカードユニット２２が並設されており、その操作は上受け皿１６の前面部に設けられた球貸し操作部２３によって行われる。球貸し操作部２３には、プリペイドカードによる遊技球の貸出しを操作する球貸しボタン２４、その貸出しの可否状態を示す球貸しランプ２５、カード挿入口２６からプリペイドカードを排出させるカード返却ボタン２７、プリペイドカードの残高表示及びエラー表示を行う度数表示部２８等が備えられる。 
【００３５】
遊技盤１４面のほぼ中央には特別図柄表示装置５０が設けられており、その画面には数字やキャラクタ等の図柄が動画表示される。この特別図柄表示装置５０の真下位置には常時入賞可能な第一始動入賞口５２ａと、可変翼が開放された時にのみ入賞可能となる第二始動入賞口５２ｂを備える始動入賞口５２が設けられており、始動入賞口５２に遊技球が入賞すると特別図柄表示装置５０に表示される図柄が変動を開始する。
【００３６】
また、始動入賞口５２の真下位置には通常は閉鎖されている大入賞口５３が設けられており、その内部には大入賞口５３が開放された時にのみ入賞可能となる特定入賞口５４が設けられている。又、大入賞口５３の左右位置には普通入賞口である左落し入賞口６０、右落し入賞口６１が、それらの上方位置には左袖入賞口６２、右袖入賞口６３が各々設けられ、これらの入賞口へ遊技球が入賞すると所定個数の賞品球が払出される。
【００３７】
特別図柄表示装置５０の周囲には装飾枠体６４が設けられる。この装飾枠体６４の上部に形成された半円弧形状の装飾枠部には、普通図柄表示装置６５が設けられ、「０」から「９」までの数字が７セグメントでもってデジタル表示される。更に、本遊技盤１４面には遊技球の落下方向を無作為に変更させたり、その流下速度を変化させる風車やランプ風車、左ゲート６６、右ゲート６７が設けられ、このゲート６６、６７を遊技球が通過すると普通図柄表示装置６５が変動を開始し、所定図柄が表示確定されると前述の始動入賞口５２の第二始動入賞口５２ｂが一定時間開放される。
【００３８】
始動入賞口５２に遊技球が入賞すると、特別図柄表示装置５０に表示される判定用図柄が変動を開始し、所定時間（例えば５秒間）が経過すると停止して図柄が表示確定される。ここで確定された図柄の組み合わせが予め設定された所定の組み合わせと一致すると、それまで閉鎖されていた大入賞口５３が開放され、いわゆる「大当たり」と称される特別な遊技状況が開始されることになる。
【００３９】
このように、遊技盤１４面に設けられる各入賞口に遊技球が入賞（又は通過）すると諸処の遊技状況が発生する契機となると共に、所定個数の賞品球が上受け皿１６の左側上部に設けられる球出口２９から払い出される。但し、何れにも入賞しなかった遊技球は、遊技盤１４面の最下部に設けられる排出口６８から遊技盤１４の裏面へと排出されることになる。
【００４０】
図２は、前記パチンコ遊技機１０の裏面図である。パチンコ遊技機１０の裏面には、各種装置等を取り付けるための裏セット板７１が設けられ、その裏セット板７１の上方には、図示しない遊技場内に設置された球供給装置から供給される遊技球を一時貯留する球タンク７２が設けられる。この球タンク７２には球誘導樋７３が連接して設けられる。球誘導樋７３にはその球誘導樋７３上における遊技球の貯留状態を検知する補給スイッチ７４が設けられる。このスイッチ７４は、球誘導樋７３上での球切れ状態が発生した時に作動し、図示しない遊技場内の球供給装置から球タンク７２に遊技球が供給されていないことを遊技場へ報知するように構成されている。
【００４１】
この球誘導樋７３は図示しない屈曲樋に接続され、この屈曲樋はその下流域でおいて枝分かれして賞球払出装置７５と球貸払出装置７６に連接される。又、この図示しない屈曲樋にはその屈曲樋内における遊技球の流下状態を検知して賞球払出装置７５及び球貸払出装置７６の空動作を未然に防止する空切り防止スイッチ７７が設けられる。
【００４２】
また、遊技機１０の裏面には、遊技に関わる制御を行うための多様な制御基板が設けられており、これらにより遊技盤１４面に設けられる各装置等の動作が設定制御される。遊技機１０と外部の各種装置とを接続する外部出力端子７８ａを含む外部出力端子基板７８、空切り防止スイッチ７７の作動を設定制御する空切り防止スイッチ基板７９、更に、前述の賞球払出装置７５及び貸球払出装置７６の作動を設定制御するＣＲ賞球払出制御基板８０、本遊技機１０の側部に設けられるプリペイドカードユニット２２と遊技機１０間における情報の授受を行うカードインターフェイス接続部８１が設けられる。
【００４３】
更に、これらの制御基板等の動作を設定制御する主制御基板８２が裏面左下方部に設けられる。主制御基板８２は、基板収納ボックス９０に収納されており、この基板収納ボックス９０を開封しなければ主制御基板８２に触れることができないようになっている。基板収納ボックス９０は、下側のケース体９１とそのケース体９１に被着されるカバー体９２とからなり、そのケース体９１内に主制御基板８２を載置して固定し、その上面をカバー体９２で覆うことで外部から触れることができないように主制御基板８２を収容している。
【００４４】
そのほかに本遊技機１０には上記以外にも多様な制御基板が設けられており、これらにより遊技盤１４面に設けられる各装置等の動作が設定制御される。例えば、打球発射に関する設定制御を行う発射装置制御基板８３や、遊技盤１４面上に設けられるランプの点灯及び消灯に関わる設定制御を行うランプ制御基板８４、遊技状況に応じて発する音声や音楽等を制御する音声制御基板８５といった各種制御基板も同様に設けられる。図３のブロック図に示されるように、これら制御基板等は直接又は間接的に主制御基板８２と接続され、その動作は主制御基板８２に制御されるようになっている。これらについての概要は周知であるので、ここでは詳細説明を省略する。
【００４５】
次に、本発明の第１の実施形態に係るパチンコ遊技機に備えられた不正行為防止のための基板収納ボックスついて図４〜図９を参照して説明する。図４は遊技機本体の裏面に設けられる前述の基板収納ボックス９０の分解斜視図、図５はケース側封止部の詳細図、図６は図５の断面図、図７は未使用封止部材の付属構造を示した分解斜視図、図８及び図９は封止・開封の手順を示した断面図である。      
【００４６】
図４に示されるように、この基板収納ボックス９０は、前述の主制御基板８２が収容されるケース体９１、そのケース体９１がスライドして装着されるカバー体９２、これら両部材を封止箇所で固着させるための挿入ピン９５とから構成されている。
【００４７】
カバー体９２はアクリル等の透明な合成樹脂材料により略箱形状に形成されており、手前側のスライド装着入り口９２ａからほぼ上面全体に亘って大きく開口している。左右側壁９２ｂ，９２ｂの上端には内側に向かって延設されたスライド片９２ｃ，９２ｃがほぼ奥行き方向全体に亘って設けられており、後述するケース体９１の左右に段状に設けられた段部９１ａ，９１ａがスライドして挿入されるスライド溝９２ｄ，９２ｄが形成されている。
【００４８】
また、カバー体９２の後端側には、箱形状の封止台９２ｅが立設されている。この封止台９２ｅの内側のスペースに後述するケース体９１のケース側封止部９３，９３，・・が設けられた部分がスライド装着されると収容されるようになっている。封止台９２ｅの上面には、複数のカバー側封止部９４，９４，・・がその上面の一部を切欠したように形成されている。このカバー側封止部９４は、略正方形状のピン挿入台９６と、切断可能に形成された連結部９６ａとで構成されている。
【００４９】
カバー側封止部９４，９４，・・のそれぞれのピン挿入台９６，９６，・・には、後述する挿入ピン９５が挿入されるピン挿入孔９６ｂが貫通して設けられており、その内径は挿入ピン９５のフランジ状の頭部９５ａの外径よりも小さく挿入ピン９５の本体部９５ｂの外径よりやや大きく形成されている。
【００５０】
封止に用いられる挿入ピン９５はアルミ等の金属製棒材から切削形成又は合成樹脂材料から一体成形されたもので、フランジ状の頭部９５ａと円柱状の本体部９５ｂを備えており、本体部９５ｂの先端部９５ｃには凹状の係合溝９５ｄが周設されている。
【００５１】
このカバー体９２にスライドして装着されるケース体９１も同様にアクリル等の透明な合成樹脂材料により略箱形状に形成されており、カバー体９２よりも幅狭に形成され、下面が大きく開口している。図４に示されるように主制御基板８２は下方から取り付けられ、左右に段状に設けられた段部９１ａ，９１ａの内側に設けられた図示しないボス部に主制御基板８２の４隅角部をネジ９７止めにより収容固定する。また、この段部９１ａ，９１ａの上面には開口したコネクタ挿入口９１ｂが複数形成されており、収容固定した主制御基板８２に設けられた他の各種電気装置と電気接続するためのコネクタ部８２ａがコネクタ挿入口９１ｂから露出されるようになっている。各種配線をこれらコネクタ部８２ａに差し込むことにより、それぞれ接続された電気装置に関わる制御が可能になっている。
【００５２】
さらに、段部９１ａ，９１ａの奥側の左右外壁には、同じくカバー体９２の奥側の左右内壁に形成された凹部９２ｆ，９２ｆに弾発的に係合する凸部９１ｃ，９１ｃが形成されており（片側のみ図示）、これらによりカバー体９２はケース体９１にスライド装着後は容易に外れないように仮固定される。また、段部９１ａ，９１ａの手前側の端部には、外側方向に突出して形成されたストッパー９１ｄ，９１ｄが設けられており、カバー体９２にスライド装着した際には、このストッパー９１ｄ、９１ｄがカバー体９２のスライド装着入り口９２ａの左右側壁の前端面に当接して、それ以上奥へのスライドが規制されるようになっている。この場合、これら凹部９２ｆ，９２ｆと凸部９１ｃ，９１ｃとが係合する位置と、ストッパー９１ｄ，９１ｄによってスライド規制される位置を、丁度ケース側封止部９３とカバー側封止部９４が封止のために重ね合わさる位置となるように設定すれば、その位置決めが容易になる。
【００５３】
また、ケース体９１の奥側の上面には、右から順に番号「１」〜「４」が附されたケース側封止部９３，９３，・・が設けられている。このケース側封止部９３は、図５及び図６に示されるように、前述の挿入ピン９５が挿通される挿通孔９３ａと、挿入ピン９５の先端部９５ｃに嵌合するピン固定具９８と、そのピン固定具９８を収容固定する収容溝９９ａを備えた固定具収容台９９とで構成される。
【００５４】
ピン固定具９８は、弾性変形可能な金属製板ばね部材により長方形状に成形されたもので、図示されるように挿入ピン９５の先端部９５ｃに係合する係合孔９８ａが複数（この実施例では４つ）開口して形成されている。この係合孔９８ａの内周縁には、挿入ピン９５の先端部９５ｃに凹状に周設された係合溝９５ｄに係合する係合爪９８ｂがやや斜め下向きに突設して形成されており、係合の際には先端部９５ｃを抜脱不能に固定する。
【００５５】
また、このピン固定具９８の両端には、固定具収容台９９の両端に凹設された係合凹部９９ｂ，９９ｂに係合する係合片９８ｃ，９８ｃが形成されており、ピン固定具９８は収容溝９９ａに収容された際には、この係合凹部９９ｂに係合して固定される（図６参照）。これによりピン固定具９８は、固定具収容台９９とケース体９１の上壁との間に形成された収容溝９９ａに挟み込むように収容して固定される。
【００５６】
また、このピン固定具９８が収容される固定具収容台９９には、挿入ピン９５が挿入される挿入ピン９５の先端部９５ｃを臨ませる逃げ孔９９ｃ，９９ｃ，・・が形成されている。
【００５７】
図４及び図７に示されるように、ケース体９１の手前側には、ケース体９１とカバー体９２の封止に用いる挿入ピン９５のうち未使用のものが基板収納ボックス９０の付属部品として備えられている。この実施例では、封止・開封を計４回行えるように、挿入ピン９５が４つ用いられるので、最初の封止に用いる１本の挿入ピン９５以外の残り３本の挿入ピン９５（つまり、２回目以降の封止に使用される挿入ピン９５）は、カバー体９２の片側上面から側面に亘って大きく凹設された凹部１０１の底面１０１ａに、保持部材１００によって集約して取り付けられている。
【００５８】
保持部材１００は合成樹脂材料により形成されており、底面１０１ａに固定されるための固着部１００ａと、挿入ピン９５が挿入される収容孔１００ｅが形成された収容部１００ｂと、それら固着部１００ａと収容部１００ｂを連結する連結部１００ｃとで構成される。固着部１００ａには、底面１０１ａに設けられた支持部１０２の突状部１０２ａが挿入される貫通孔１００ｄが形成されている。
【００５９】
収容部１００ｂは、挿入ピン９５の本体部９５ｂが挿通される収容孔１００ｅを有したドーナツ形状に形成されており、その収容孔１００ｅの内径は、挿入される挿入ピン９５のフランジ状頭部９５ａの外径より小さく本体部９５ｂの外径よりもやや大きく形成されている。これら固着部１００ａと収容部１００ｂを連結している連結部１００ｃは、ニッパ等の工具によって切断可能に形成されている。
【００６０】
次に、このような構成の基板収納ボックス９０の組付け及び挿入ピン９５を操作して、主制御基板８２をボックス内に封止する手順について図８及び図９を用いて説明する。
【００６１】
まず、図８（ａ）に示されるように、ケース体９１のケース側封止部９３，９３，・・に設けられた固定具収容台９９の収容溝９９ａへ、ピン固定具９８を収容固定すると共に、主制御基板８２をケース体９１内にネジ止め固定した後、カバー体９２内にスライド装着させる。
【００６２】
カバー側封止部９４とケース側封止部９３が重なるように装着した後（つまりカバー側封止部９４のピン挿入孔９６ｂの中心とケース側封止部９３の挿通孔９３ａの中心が同軸上に並んだ状態）、図８（ｂ）に示されるように、上方から挿入ピン９５を番号「１」が附された箇所のピン挿入台９６に挿入する。そして、挿入された挿入ピン９５の頭部９５ａをネジ回しドライバー等の工具を用いて、上方から叩き込む等の押圧動作により、先端部９５ｃの係合溝９５ｄがピン固定具９８の係合孔９８ａの内周縁に形成された係合爪９８ｂが嵌り込んで係合する（図９（ａ）参照）。
【００６３】
このように挿入ピン９５によって、カバー体９２に設けられたピン挿入台９６と、ケース体９１に設けられた固定具収容台９９の収容溝９９ａに係合して収容固定されたピン固定具９８とが、固く連結されることで、ケース体９１とカバー体９２はスライド不能になり、主制御基板８２はボックス内に封止されることになる。
【００６４】
また、ピン固定具９８は図示されているように、ケース体の上壁に覆われて収容溝９９ａに収容されているので、ピン固定具９８が収容溝９９ａ内で係合している部分である係合凹部９９ｃ等への不正行為によって、その係合を外すことは、その覆っている上壁等を破壊することが必要になる。そのような破壊は確実にその痕跡を残すことができる上に、その痕跡を消す為の復元も極めて困難であるので、収納されている制御基板への不正行為のために開封が行われた場合には早期に発見されるとともに、不正行為の痕跡を消すこともできないので、このような不正行為者による不正開封の行為を抑制することができる。
【００６５】
このように封止された基盤収納ボックス９０を主制御基板８２のＲＯＭの検査やメンテナス等の正当な理由で開封するには、図９（ｂ）に示されるように、挿入ピン９５が叩き込まれた番号「１」が附されたピン挿入台９６のカバー体９２と連結している箇所の連結部９６ａを切断して、カバー体９２と挿入ピン９５が叩き込まれたピン挿入台９６とを分離させることで開封することができる。そしてケース体９１からカバー体９２を外し、開放された主制御基板８２の検査等を行う。
【００６６】
ＲＯＭの検査やメンテナス等が終わった後、再び封止するには、保持部材１００に取り付けられている未使用の挿入ピン９５のうち１本を連結部１００ｃを切断して取り出す。取り出した新たな挿入ピン９５を、前述と同様の手順で今度は番号「２」が附されたピン挿入台９６に挿入し、ネジ回しドライバー等の工具を用いて、上方から叩き込むことで再び主制御基板８２を基板収納ボックス９０内に再度封止することができる。
【００６７】
このように基板収納ボックス９０は、収納されている主制御基板８２のＲＯＭ検査や修理などの正規の理由による開封・封止が複数回（この実施例では４回）行うことができる上に、その１回の開封・封止のための封止箇所への操作が一箇所で済むことになるので、作業性が良い。また、それに伴い、上述した従来技術のように、封止・開封を計４回行えるように封止箇所を８つも設ける必要がなく、４つの封止箇所で済むので、ボックスの製作に掛かるコストも低く抑えることが可能になる。
【００６８】
次に、本発明の第２の実施形態に係るパチンコ遊技機に備えられた不正行為防止のための基板収納ボックスついて図１０〜図１２を参照して説明する。図１０は遊技機本体の裏面に設けられる基板収納ボックス１１０の分解斜視図、図１１及び図１２は封止・開封の手順を示した断面図を示したものでである。尚、この基板収納ボックスは、第１の実施形態のものとはカバー側封止部とケース側封止部の構成のみが異なっているだけなので、第１の実施形態と同一の構成については同符号を附して説明は省略し、異なる点を中心に説明する。
【００６９】
第１の実施形態の説明では、挿入ピン９５の封止のための挿入方向が上方から（スライド方向に対して垂直）だったのに対し、この基板収納ボックス１１０では、図示されるように挿入ピン９５の挿入方向が側方から（スライド方向に対して平行）になっており、それに伴って第１の実施の形態と同様の構成のケース側封止部１１３とカバー側封止部１１４はそれぞれ垂直になるように手前側の壁面に設けられている。
【００７０】
このような構成の基板収納ボックス１００の組付け及び挿入ピン９５を操作して、主制御基板８２をボックス内に封止する手順について図１１及び図１２を用いて説明する。
【００７１】
第１の実施形態の説明と同様に、まず、ケース体１１１のケース側封止部１１３，１１３，・・に設けられた固定具収容台９９の収容溝９９ａへ、ピン固定具９８を収容固定すると共に、主制御基板８２をケース体１１１内にネジ止め固定した後、カバー体１１２内にスライド装着させる（図１１（ａ）参照）。
【００７２】
カバー側封止部１１４とケース側封止部１１３が重なるように装着した後（つまりカバー側封止部１１４のピン挿入孔９６ｂの中心とケース側封止部１１３の挿通孔９３ａの中心が同軸上に並んだ状態）、図１１（ｂ）に示されるように、側方から挿入ピン９５を番号「１」が附された箇所のピン挿入台９６に挿入する。そして、挿入された挿入ピン９５の頭部９５ａをネジ回しドライバー等の工具を用いて、側方から叩き込む等の押圧動作により、先端部９５ｃの係合溝９５ｄがピン固定具９８の係合孔９８ａの内周縁に形成された係合爪９８ｂが嵌り込んで係合させる（図１２（ａ）参照）。
【００７３】
このように挿入ピン９５によって、カバー体１１２に設けられたピン挿入台９６と、ケース体１１１に設けられた固定具収容台９９の収容溝９９ａに係合して収容固定されたピン固定具９８とが、固く連結されることで、ケース体１１１とカバー体１１２はスライド不能になり、主制御基板８２はボックス内に封止されることになる。
【００７４】
このように封止された基盤収納ボックス１００を主制御基板８２のＲＯＭの検査やメンテナス等の正当な理由で開封するには、図１２（ｂ）に示されるように、挿入ピン９５が叩き込まれた番号「１」が附されたピン挿入台９６のカバー体１１２と連結している箇所の連結部９６ａを切断して、カバー体１１２と挿入ピン９５が叩き込まれたピン挿入台９６とを分離させる。そしてケース体１１１からカバー体１１２を外し、開放された主制御基板８２の検査等を行う。
【００７５】
ＲＯＭの検査やメンテナス等が終わった後、再び封止するには、保持部材１００に取り付けられている未使用の挿入ピン９５のうち１本を取り出す。取り出した新たな挿入ピン９５を、前述と同様の手順で今度は番号「２」が附されたピン挿入台９６に挿入し、ネジ回しドライバー等の工具を用いて、側方から叩き込むことで再び主制御基板８２を基板収納ボックス１１０内に再度封止することができる。
【００７６】
このように基板収納ボックス１１０は、収納されている主制御基板８２のＲＯＭ検査や修理などの正規の理由による開封・封止が複数回（この実施例では４回）行うことができる上に、その１回の開封・封止のための封止部への操作が一箇所で済むことになるので、作業性が良い。また、それに伴い、上述した従来技術のように、封止・開封を計４回行えるように封止箇所を８つも設ける必要がなく、４つの封止箇所で済むので、ボックスの製作に掛かるコストも低く抑えることが可能になる。
【００７７】
次に、本発明の第３の実施形態に係るパチンコ遊技機に備えられた不正行為防止のための基板収納ボックスついて図１３〜図１６を参照して説明する。図１３は遊技機本体の裏面に設けられる基板収納ボックス１２０の分解斜視図、図１４はカバー側封止部の横断面図、図１５及び図１６は封止・開封の手順を示した断面図を示したものでである。尚、この基板収納ボックスも同様に、第１の実施形態のものとはカバー側封止部とケース側封止部の構成のみが異なっているだけなので、第１の実施形態と同一の構成については同符号を附して説明は省略し、異なる点を中心に説明する。
【００７８】
この基板収納ボックスでは、第１の実施形態の場合と同様に、挿入ピン９５の封止のための挿入方向が上方からである点については同じだが、第１の実施の形態では、開封のために切断される連結部を有したピン挿入台９６がカバー側に設けられた構成だったものが、この第３の実施形態の基板収納ボックスではケース側に設けられた構成になっている点と、それに伴ってピン固定具がカバー側に備えられる構成になっている点で大きく異なる。
【００７９】
カバー体１２２の手前側の壁面には、カバー側封止部１２４，１２４，・・として上面が開口された長手ボックス形状の固定具収容台１２５がカバー体１２２と一体的に設けられ、その内部には図１４で示すような金属製板材により折り曲げ形成されたピン固定具１２６がタッピンネジ１２７によって固定具収容台１２５の内部にネジ止め固定されている。
【００８０】
このピン固定具１２６には、挿入ピン９５の先端部９５ｃが挿入された際には、抜脱不能に係合する係合孔９８ａが設けられている。その係合孔９８ａの内周縁には、挿入ピン９５の先端部９５ｃに周設された凹状の係合溝９５ｄに係合する係合爪９８ｂがやや斜め下向きに突設して形成されている。
【００８１】
また、カバー体１２２の手前側の壁面には開口した封止部挿通口１２４ａが形成されており、後述するケース側封止部１２３，１２３，・・及びネジ隠し片１１２８，１２８がピン固定具１２６上方に位置するように挿入される。
【００８２】
ケース体１２１の手前側の壁面には、ケース側封止部１２３，１２３，・・としてのピン挿入台９６，９６，・・が切断可能に形成された連結部９６ａを介して一体的に整列して設けられると共に、それらピン挿入台９６，９６，・・の両サイドには前述のピン固定具１２６をネジ止め固定したタッピンネジ１２７を上方から覆うネジ隠し片１２８，１２８が設けられている。
【００８３】
このような構成の基板収納ボックス１２０の組付け及び挿入ピン９５を操作して、主制御基板８２をボックス内に封止する手順について図１５及び図１６を用いて説明する。
【００８４】
まず、カバー体１２２のカバー側封止部１２４，１２４，・・に設けられた固定具収容台１２５の内部へ、ピン固定具１２６を収容固定すると共に、主制御基板８２をケース体１２１内にネジ止め固定する。そして、カバー体１２２内にスライド装着させる（図１５（ａ）参照）。
【００８５】
ケース側封止部１２３とカバー側封止部１２４が重なるように装着した後（つまりケース側封止部１２３のピン挿入孔９６ｂの中心とカバー側封止部１２４のピン固定具１２６の係合孔９８ａの中心が同軸上に並んだ状態）、図１５（ｂ）に示されるように、上方から挿入ピン９５を番号「１」が附された箇所のピン挿入台９６に挿入する。そして、挿入された挿入ピン９５の頭部９５ａをネジ回しドライバー等の工具を用いて、上方から叩き込む等の押圧動作により、先端部９５ｃの係合溝９５ｄがピン固定具１２６の係合孔９８ａの内周縁に形成された係合爪９８ｂが嵌り込んで係合させる（図１６（ａ）参照）。
【００８６】
このように挿入ピン９５によって、ケース体１２１に設けられたピン挿入台９６と、カバー体１２２に設けられた固定具収容台１２５に固定されたピン固定具１２６とが、固く連結されることで、ケース体１２１とカバー体１２２はスライド不能になり、主制御基板８２はボックス内に封止されることになる。
【００８７】
このように封止された基盤収納ボックス１２０を主制御基板８２のＲＯＭの検査やメンテナス等の正当な理由で開封するには、図１６（ｂ）に示されるように、挿入ピン９５が叩き込まれた番号「１」が附されたピン挿入台９６のケース体１２１と連結している箇所の連結部９６ａを切断して、ケース体１２１と挿入ピン９５が叩き込まれたピン挿入台９６とを分離させる。そしてカバー体１２２からケース体１２１を外し、開放された主制御基板８２の検査等を行う。
【００８８】
ＲＯＭの検査やメンテナス等が終わった後、再び封止するには、保持部材１００に取り付けられている未使用の挿入ピン９５のうち１本を取り出す。取り出した新たな挿入ピン９５を、前述と同様の手順で今度は番号「２」が附されたピン挿入台９６に挿入し、ネジ回しドライバー等の工具を用いて、上方から叩き込むことで再び主制御基板８２を基板収納ボックス１２０内に再度封止することができる。
【００８９】
このように基板収納ボックス１２０は、収納されている主制御基板８２のＲＯＭ検査や修理などの正規の理由による開封・封止が複数回（この実施例では４回）行うことができる上に、その１回の開封・封止のための封止部への操作が一箇所で済むことになるので、作業性が良い。また、それに伴い、上述した従来技術のように、封止・開封を計４回行えるように封止箇所を８つも設ける必要がなく、４つの封止箇所で済むので、ボックスの製作に掛かるコストも低く抑えることが可能になる。
【００９０】
以上本発明の実施形態について説明したが、本発明はこうした実施形態に何ら限定されるものではなく、本発明の趣旨を逸脱しない範囲において、種々なる態様で実施できることは勿論である。例えば、上記各実施例では、カバー側封止部およびケース側封止部をそれぞれスライド装着入り口とは反対の側に設けた構成を示したが、スライド装着入口側やスライドの途中位置に設けた構成等でも適用できることは言うまでもない。要は、スライドを禁止するための手段がカバー体およびケース体のそれぞれに設けられている構成であれば良い。
【００９１】
尚、上記実施例では、この遊技機の遊技内容を制御するメインの制御基板である主制御基板の基板収納ボックスに適用した例を示したが、遊技機に備えられるそれ以外の制御基板等を収納するボックスについても適用可能なのは言うまでもない。
【図面の簡単な説明】
【００９２】
【図１】本発明の一実施形態に係るパチンコ遊技機の正面図である。
【図２】図１に示されたパチンコ遊技機の裏面を示した図である。
【図３】制御基板の接続を示したブロック図である。
【図４】本発明の第１の実施形態に係る基板収納ボックスの分解斜視図を示した図である。
【図５】図４のケース側封止部の詳細図を示した図である。
【図６】図５の縦断面を示した図である。
【図７】未使用の封止部材の添付構造を示した図である。
【図８】第１の実施の形態に係る基板収納ボックスの封止の手順を示した図である。
【図９】第１の実施の形態に係る基板収納ボックスの開封の手順を示した図である。
【図１０】本発明の第２の実施形態に係る基板収納ボックスの分解斜視図を示した図である。
【図１１】第２の実施の形態に係る基板収納ボックスの封止の手順を示した図である。
【図１２】第２の実施の形態に係る基板収納ボックスの開封の手順を示した図である。
【図１３】本発明の第３の実施形態に係る基板収納ボックスの分解斜視図を示した図である。
【図１４】図１３のカバー側封止部の縦断面を示した図である。
【図１５】第３の実施の形態に係る基板収納ボックスの封止の手順を示した図である。
【図１６】第３の実施の形態に係る基板収納ボックスの開封の手順を示した図である。
【図１７】従来一般に知られる基板収納ボックスの外観斜視図を示した図である。
【図１８】図１７の基板収納ボックスの分解斜視図を示した図である。
【図１９】図１７の基板収納ボックスの上面図を示した図である。
【図２０】封止部の縦断面図を示した図である。
【図２１】封止部の横断面図を示した図である。
【符号の説明】
【００９３】
１０  パチンコ遊技機
８２  制御基板
９０  基板収納ボックス
９１  ケース体
９２  カバー体
９３  ケース側封止部
９４  カバー側封止部
９５  挿入ピン
９６  ピン挿入台
９８  ピン固定具
９９  固定具収容台
１００  保持部材
【図１】
2006142052.tif 000003
【図２】
2006142052.tif 000004
【図３】
2006142052.tif 000005
【図４】
2006142052.tif 000006
【図５】
2006142052.tif 000007
【図６】
2006142052.tif 000008
【図７】
2006142052.tif 000009
【図８】
2006142052.tif 000010
【図９】
2006142052.tif 000011
【図１０】
2006142052.tif 000012
【図１１】
2006142052.tif 000013
【図１２】
2006142052.tif 000014
【図１３】
2006142052.tif 000015
【図１４】
2006142052.tif 000016
【図１５】
2006142052.tif 000017
【図１６】
2006142052.tif 000018
【図１７】
2006142052.tif 000019
【図１８】
2006142052.tif 000020
【図１９】
2006142052.tif 000021
【図２０】
2006142052.tif 000022
【図２１】
2006142052.tif 000023